(57)【特許請求の範囲】
【請求項１】
負荷側接触端子（１７）と電源側接触端子（１６）が近接する領域において、略直立した状態で負荷側接触端子（１７）に接続されるアース棒（６０）を支持するアース棒支持ガイドであって、
負荷側接触端子（１７）の下方に配置される、アース棒（６０）の移動ガイド部（３５，３５０，３５１）と、
該移動ガイド部（３５，３５０，３５１）の負荷側の端部に接続される第１支持部（３６，３６０，３６１）と、
移動ガイド部（３５，３５０，３５１）の電源側の端部に接続される第２支持部（３７，３７０，３７１）と、
アース棒（６０）を挿脱できるように、第１支持部（３６，３６０，３６１）および第２支持部（３７，３７０，３７１）の各接続端部（３６ａ，３６０ａ，３６１ａ）、（３７ａ，３７０ａ，３７１ａ）の間に形成される開口部（３８，３８０，３８１）とを備え、
移動ガイド部（３５，３５０，３５１）と第１支持部（３６，３６０，３６１）の接続端部（３６ａ，３６０ａ，３６１ａ）を結ぶ第１長さ（ｍ）が、アース棒（６０）の外径よりもやや大きく、
移動ガイド部（３５，３５０，３５１）と第２支持部（３７，３７０，３７１）の接続端部（３７ａ，３７０ａ，３７１ａ）を結ぶ第２長さ（ｎ）が、前記第１長さ（ｍ）よりも大きいことを特徴とするアース棒支持ガイド。
【請求項２】
第１支持部（３６）および第２支持部（３７）の各接続端部（３６ａ，３７ａ）に、外側に向かうにしたがって大きく開口するように、第１延出部（４５）および第２延出部（４６）が外方に延出して形成されることを特徴とする請求項１に記載のアース棒支持ガイド。
【請求項３】
第１支持部（３６，３６０，３６１）に、アース棒（６０）に対する保護部材（４０）が被覆されることを特徴とする請求項１または２に記載のアース棒支持ガイド。
【請求項４】
設置面（Ｇ）に設置された架台（２）と、該架台（２）に絶縁支持部材（１０）を介して配置された負荷側接触端子（１７）および電源側接触端子（１６）と、該負荷側接触端子（１７）と電源側接触端子（１６）を開閉する開閉機構部（２０）とを備えた電気設備において、前記負荷側接触端子（１７）の下方に位置する架台（２）の部位に、前記請求項１乃至３のいずれか１項に記載のアース棒支持ガイド（３０，３０Ａ，３００，３０１）が取り付けられることを特徴とする電気設備。
【発明の詳細な説明】
【技術分野】
【０００１】
本発明は、負荷側接触端子と電源側接触端子が近接した領域でアース棒を支持できるように構成されたアース棒支持ガイドおよび電気設備に関する。
【背景技術】
【０００２】
従来、電気設備において、負荷側接触端子にアース棒を接続する場合について図５を参照して説明する。図５に示す電気設備は、断路器を正面から見た図を示しており、該断路器５０は、設置面Ｇに設置された架台５１と、該架台５１に配置された絶縁支持部材５４と、該絶縁支持部材５４を介して配設された開閉部５７と、該開閉部５７を開閉する開閉機構部５９とを備えている。なお、後述する脚部は、前後に一対配置されているが、便宜上、１本を図示している。また、開閉部５７は、３相分配設されているが、便宜上、１相分を図示するものとする。
【０００３】
架台５１は、設置面Ｇに所定の間隔をおいて立設された脚部５１ａを有する直立支持部５２と、該直立支持部５２に架設された水平支持部５３とを有している。絶縁支持部材５４は、水平支持部５３の両端部に立設された一対の固定碍子５５，５５と、水平支持部５３の中央部に立設された回動碍子５６とを有している。開閉部５７は、一方の固定碍子５５の上部に固設された電源側接触端子５５ａと、他方の固定碍子５５の上部に固設された負荷側接触端子５５ｂと、中央部の回動碍子５６の上部に固設され、一端部の一側部が電源側接触端子５５ａに接離し、他端部の他側部が負荷側接触端子５５ｂに接離するブレード５８とを有している。開閉機構部５９は、回動碍子５６の基端部に固着され、径外方向に突設された一対の連結部５９０ａ，５９０ａを有する伝動部材５９ａと、各伝動部材５９ａの連結部５９０ａ，５９０ａに連結された一対の連結棒５９ｂ，５９ｂと、脚部５１ａの下部に取り付けられた操作箱５９ｃと、該操作箱５９ｃから導出されるとともに、伝動部材５９ａに連結された操作軸５９ｄとを有している。
【０００４】
また、図５に示すアース棒６０は、長尺で大きな重量を有する棒状体からなり、先端部にフック６１が固設され、該フック６１にアース線６２が接続されている。例えば、長さが６．５ｍで、重量が７．５ｋｇのアース棒６０が使用されている。
【０００５】
そして、断路器５０の負荷側接触端子５５ｂを接地する場合、断路器５０が遮断された状態において、例えば、アース線６２を脚部５１ａ（断路器５０の脚部に取り付けられたアース端子や、地中に打ち込まれたアースバー（図示せず）の場合もある）に接続した後、複数（２人）の作業者Ｘ、Ｙがアース棒６０を略直立した状態に支持しつつ負荷側接触端子５５ｂへ移動させて、該負荷側接触端子５５ｂに、アース棒６０のフック６１を接続するようにしている。
【０００６】
このように、アース棒６０を断路器５０の負荷側接触端子５５ｂに接続する場合は、複数の作業者Ｘ，Ｙによって行われているが、上述したように、アース棒６０は、長尺であるとともに、重量が大きいため、人力によって、アース棒６０を略直立した状態に支持しつつ負荷側接触端子５５ｂへ移動するのが困難となっている。この問題を解消すべく、アース棒６０を安定した状態で起立させて、負荷側接触端子５５ｂに接続する作業用接地棒起立装置が公知になっている（例えば、特許文献１参照）。該起立装置は、地中に埋設される基端部と、アース棒の基端部が挿脱可能な挿入部を有する先端部と、基端部に対して折り曲げ自在に構成される中間部とを備えている。そして、起立装置の基端部を地中に埋設して固定するとともに、先端部の挿入部にアース棒の基端部を挿入し、折り曲げ自在に構成される中間部を回動支点としてアース棒を負荷側接触端子まで回動させて移動させ、アース棒の先端部に設けられたクランプを負荷側接触端子に接続している。
【０００７】
また、人力によって、アース棒を略直立した状態に支持しつつ負荷側接触端子へ移動するのが困難となることから、人力によって支持されるアース棒は不安定な状態となっている。このため、アース棒が負荷側から電源側に移動して、電源側接触端子に接触することが懸念される。この問題を解消すべく、該電源側接触端子の手前に、伸縮自在に構成される活線作業用防護柵を設置して、アース棒の電源側接触端子への接触を防止するものが公知になっている（例えば、特許文献２）。
【先行技術文献】
【特許文献】
【０００８】
【特許文献１】特開２０００−２８７３２２号公報
【特許文献２】特開平４−１３８００７号公報
【発明の概要】
【発明が解決しようとする課題】
【０００９】
しかしながら、前記作業用接地棒起立装置の場合、上述したように、アース棒を安定した状態で、負荷側接触端子へ移動させることはできるものの、アース棒が負荷側接触端子から電源側接触端子の側へ倒れてしまうことが懸念される。
【００１０】
また、前記活線作業用防護柵においては、アース棒の電源側接触端子への接触を防止できるものの、アース棒を安定した状態で支持して、負荷側接触端子へ移動させるという技術思想はない。
【００１１】
そこで、本発明は、前記問題を鑑み、アース棒を安定した状態で支持して、負荷側接触端子へ移動させて接続できるとともに、負荷側から電源側への移動を規制できるアース棒支持ガイドおよび電気設備を提供することを目的とする。
【課題を解決するための手段】
【００１２】
本発明に係るアース棒支持ガイドは、負荷側接触端子１７と電源側接触端子１６が近接する領域において、略直立した状態で負荷側接触端子１７に接続されるアース棒６０を支持するアース棒支持ガイドであって、負荷側接触端子１７の下方に配置される、アース棒６０の移動ガイド部３５，３５０，３５１と、該移動ガイド部３５，３５０，３５１の負荷側の端部に接続される第１支持部３６，３６０，３６１と、移動ガイド部３５，３５０，３５１の電源側の端部に接続される第２支持部３７，３７０，３７１と、アース棒６０を挿脱できるように、第１支持部３６，３６０，３６１および第２支持部３７，３７０，３７１の各接続端部３６ａ，３６０ａ，３６１ａ、３７ａ，３７０ａ，３７１ａの間に形成される開口部３８，３８０，３８１とを備え、移動ガイド部３５，３５０，３５１と第１支持部３６，３６０，３６１の接続端部３６ａ，３６０ａ，３６１ａを結ぶ第１長さｍが、アース棒６０の外径よりもやや大きく、移動ガイド部３５，３５０，３５１と第２支持部３７，３７０，３７１の曲げ端部３７ａ，３７０ａ，３７１ａを結ぶ第２長さｎが、前記第１長さｍよりも大きいことを特徴とする。
【００１３】
この場合、移動ガイド部３５，３５０，３５１と負荷側の第１支持部３６，３６０，３６１の接続端部３６ａ，３６０ａ，３６１ａとを結ぶ第１長さｍが、アース棒６０の直径よりもやや大きく形成されることで、第１支持部３６，３６０，３６１と第２支持部３７，３７０，３７１の間の開口部３８，３８０，３８１を通して負荷側接触端子１７へ接続する移動ルートが確保できるとともに、負荷側におけるアース棒６０を確実に支持できる。さらに、第１支持部３６，３６０，３６１との当接部位を支点にして、支持された状態のアース棒６０の先端部を、負荷側接触端子１７に向けて移動させることができる。すなわち、アース棒を負荷側接触端子１７に方向付けて接続することができる。
【００１４】
また、移動ガイド部３５，３５０，３５１と負荷側の第２支持部３７，３７０，３７１の接続端部３７ａ，３７０ａ，３７１ａとを結ぶ第２長さｎが、第１長さｍよりも大きく形成されることで、第１支持部３６，３６０，３６１から第２支持部３７，３７０，３７１へ移動するアース棒６０を広範囲に受け止めることができる。具体的に説明すると、第１支持部３６，３６０，３６１から離間したアース棒６０は、移動ガイド部３５，３５０，３５１に沿って第２支持部３７，３７０，３７１へ移動する場合もあれば、第１支持部３６，３６０，３６１の接続端部３６ａ，３６０ａ，３６１ａから外側に向かって移動する場合もある。アース棒６０が第１支持部３６，３６０，３６１の接続端部３６ａ，３６０ａ，３６１ａから離間して移動ガイド部３５，３５０，３５１に沿って第２支持部３７，３７０，３７１へ移動する場合は問題ないが、アース棒６０が第１支持部３６，３６０，３６１の接続端部３６ａ，３６０ａ，３６１ａから離間して外側に向かって移動する。すなわち、アース棒６０が作業者側へ移動する場合は、安全性を確保する必要がある。よって、第１長さｍよりも第２長さｎを大きくし、アース棒６０の作業者側への移動を規制することで、作業者に対する安全性を確保している。
【００１５】
また、第１支持部３６，３６０，３６１と第２支持部３７，３７０，３７１との間の開口部３８，３８０，３８１を通して、幅広の第２支持部３７，３７０，３７１から移動ガイド部３５，３５０，３５１を経て幅狭の第１支持部３６，３６０，３６１への移動が行える。すなわち、非接続状態のアース棒６０の移動を広範囲に規制できるとともに、負荷側接触端子１７へ接続しやすいアース棒６０の移動ルートを新たに確保できる。また、前記開口部３８，３８０，３８１から電源側接触端子１６への移動、および、第１支持部３６，３６０，３６１から電源側接触端子１６への移動が、第２支持部３７，３７０，３７１によって規制されるようになり、アース棒６０の電源側接触端子１６への接触を防止することができる。
【００１６】
また、本発明によれば、第１支持部３６および第２支持部３７の各接続端部３６ａ，３７ａに、外側に向かうにしたがって大きく開口するように、第１延出部４５および第２延出部４６を外方に延出して形成するような構成を採用することもできる。
【００１７】
この場合、第１支持部３６および第２支持部３７の各接続端部３６ａ，３７ａに形成される第１延出部４５および第２延出部４６が、外側に向かうにしたがって大きく開口しているので、第１支持部３６と第２支持部３７との間の開口部３８よりも、第１延出部４５と第２延出部４６との間の開口部が大きく開口するようになり、アース棒６０の第１支持部３６および第２支持部３７への移動をより一層ガイドしやすくなる。
【００１８】
また、本発明によれば、アース棒６０に対する保護部材４０を、第１支持部３６，３６０，３６１に被覆するような構成を選択することもできる。
【００１９】
アース棒６０を第１支持部３６，３６０，３６１に当接させた状態で負荷側に移動させる場合、アース棒６０の外周面が第１支持部３６，３６０，３６１の内面に摺動することになるため、アース棒６０の外周面が傷つけられることになる。第１支持部３６，３６０，３６１を保護部材４０によって被覆すれば、第１支持部３６，３６０，３６１との摩擦によるアース棒６０の損傷を防止することができる。
【００２０】
本発明に係る電気設備によれば、設置面Ｇに設置された架台２と、該架台２に絶縁支持部材１０を介して配置された負荷側接触端子１７および電源側接触端子１６と、該負荷側接触端子１７と電源側接触端子１６を開閉する開閉機構部２０とを備えた電気設備において、前記負荷側接触端子１７の下方に位置する架台２の部位に、いずれかの前記アース棒支持ガイド３０，３０Ａ，３００，３０１が取り付けられることを特徴とする。
【００２１】
この場合、電気設備において、負荷側接触端子１７の下方に位置する架台２の部位に、上述したいずれかのアース棒支持ガイド３０，３０Ａ，３００，３０１を取り付けるようにすれば、電気設備の負荷側接触端子１７を接地する際の作業が安全且つ円滑に行うことができる。
【発明の効果】
【００２２】
以上説明したように、本発明によれば、電源側接触端子に近接する負荷側接触端子の下方に移動ガイド部を配置し、該移動ガイド部の負荷側の端部に、第１支持部を接続するとともに、移動ガイド部の電源側の端部に、第２支持部を接続し、さらに、移動ガイド部と第１支持部の接続端部を結ぶ第１長さを、アース棒の外径よりもやや大きくし、移動ガイド部と第２支持部の接続端部を結ぶ第２長さを、第１長さよりも大きくしたので、アース棒を安定した状態で支持しつつ、負荷側接触端子へ移動させて接続できるとともに、負荷側から電源側へのアース棒の移動を広範囲に規制できる。すなわち、負荷側接触端子を接地する際の作業が安全且つ円滑に行うことができる。
【図面の簡単な説明】
【００２３】
【図１】本発明の一実施形態に係るアース棒支持ガイドおよび電気設備（断路器）を示す斜視図。
【図２】図１の正面図。
【図３】（ａ）は、図１の電気設備に取り付けられるアース棒支持ガイドを示す正面図、（ｂ）は、図３（ａ）の平面図。
【図４】（ａ）〜（ｃ）は、アース棒支持ガイドの変形例を示し、（ａ）は、第１支持部および第２支持部から延出部が形成されるアース棒支持ガイドを示す平面図、（ｂ）は、第２支持部が直角に折り曲げて形成されたアース棒支持ガイドを示す平面図、（ｃ）は、第１支持部が図３の場合よりも大きく形成されるとともに、第２支持部が、直角に折り曲げられた第１折曲部と、傾斜して延出される第２折曲部とで構成されるアース棒支持ガイドを示す平面図。
【図５】従来の電気設備（断路器）において、アース棒が負荷側接触端子に接続される状態を示す正面図。
【発明を実施するための形態】
【００２４】
本発明の一実施形態に係るアース棒支持ガイドおよび電気設備について図１〜図４を参照しながら説明する。なお、図１を正面から見て、下側を電気設備（断路器）の前側、上側を断路器の後側とする。
【００２５】
まず、アース棒支持ガイドを説明する前に、電気設備について、断路器を例にとって説明する。該断路器１は、図１および図２に示すように、設置面Ｇに設置された架台２と、該架台２に配置された絶縁支持部材１０と、該絶縁支持部材１０を介して配設された開閉部１５と、該開閉部１５を開閉する開閉機構部２０とを備えている。
【００２６】
架台２は、設置面Ｇに所定の間隔をおいて立設された一対の脚部４，４を有する直立支持部３と、該直立支持部３に架設された水平支持部５とを有している。そして、直立支持部３の脚部４，４は、その外形が四角柱状を呈しており、例えば、約２．５ｍの高さを有している。水平支持部５は、各脚部４，４に前後方向に架設された一対の第１支持部材６，６と、該各第１支持部材６，６に左右方向に架設された複数（三相分）の第２支持部材７，…とを有している。
【００２７】
絶縁支持部材１０は、各第２支持部材７，…の両端部に立設された一対の固定碍子１１，１１と、各第２支持部材７，…の中央部に立設された回動碍子１２とを有している。
【００２８】
開閉部１５は、一方の固定碍子１１の上部に固設された電源側接触端子１６と、他方の固定碍子１１の上部に固設された負荷側接触端子１７と、中央部の回動碍子１２の上部に固設され、一端部の一側部が電源側接触端子１６に接離し、他端部の他側部が負荷側接触端子１７に接離するブレード１８とを有している。そして、電源側接触端子１６および負荷側接触端子１７にそれぞれ架線Ｃが接続されている。
【００２９】
開閉機構部２０は、各回動碍子１２の基端部に固着され、径外方向に突設された一対の連結部２１ａ，２１ａを有する伝動部材２１と、各伝動部材２１の連結部２１ａ，２１ａに連結された一対の連結棒２２，２２と、一方（前側）の脚部４の下部に取り付けられた操作箱２３と、該操作箱２３から導出されるとともに、前側の伝動部材２１に連結された操作軸２４とを有している。
【００３０】
そして、操作軸２４を手動または自動で回動操作すると、各伝動部材２１および各連結棒２２，２２を介して各回動碍子１２が同時に回動するようになる。この回動によって各ブレード１８が回動して、各電源側接触端子１６および各負荷側接触端子１７が同時に接離（開閉）される。
【００３１】
つぎに、アース棒６０の構成については、図５の場合と同様であり、長尺の棒状体からなり、先端部にフック６１が固設され、該フック６１にアース線６２が接続されている。そして、フック６１は、断路器１が遮断された状態において、負荷側接触端子１７に接続され、アース線６２は、例えば、前側の脚部４（断路器１の脚部に取り付けられたアース端子や、地中に打ち込まれたアースバー（図示せず）の場合もある）に接続されて、断路器１の負荷側が地中に接地される。
【００３２】
つぎに本実施形態に係るアース棒支持ガイド（以下、単に支持ガイドという）の構成について、図１〜図３（ａ），（ｂ）を参照して説明する。該支持ガイド３０は、断路器１の前側の第２支持部材７の一端部（右側の端部）の前側面に取り付けられた取付板３１に、複数の皿ねじ３２，３２によってねじ止めされている。
【００３３】
取付板３１は、平面視矩形状を呈しており、長手方向の長さは、後述する支持ガイド３０の第２支持部３７から第１支持部３６の手前までの長さを有しており、短手方向の長さが、移動ガイド部３５の幅寸法よりもやや大きい長さを有している。
【００３４】
支持ガイド３０は、正面視矩形状の平板の両端部を内側に折り曲げて略Ｃ字形状に形成されている。そして、断路器１の負荷側接触端子１７の下方に配置される移動ガイド部３５と、該移動ガイド部３５の負荷側接触端子１７の側に位置する一端部に接続される、具体的には曲げて形成される第１支持部３６と、移動ガイド部３５の電源側接触端子１６の側に位置する他端部に接続される、具体的には曲げて形成される第２支持部３７と、アース棒６０を挿脱できるように、第１支持部３６および第２支持部３７の各接続端部としての各曲げ端部３６ａ，３７ａの間に形成される開口部３８とを備えている。
【００３５】
移動ガイド部３５は、第１支持部３６、第２支持部３７間のアース棒６０の移動をガイドするとともに、取付板３１への取付部でもある。そして、一端部が断路器１の負荷側接触端子１７に位置するとともに、他端部が電源側接触端子１６に位置し、直立した状態から１５度〜３０度程度傾斜した状態のアース棒６０を支持できる長さを有している。
【００３６】
第１支持部３６は、その曲げ端部３６ａが、図３（ａ）に示すように、アース棒６０の外面を損傷しないように、その周縁部にアール加工が施されている。また、図３（ｂ）に示すように、移動ガイド部３５と第１支持部３６の曲げ端部３６ａを結ぶ第１長さｍが、アース棒６０の外径よりもやや大きく、アース棒６０の半外周面に沿うように、移動ガイド部３５の一端部が内側に曲げられて半円形状に形成されている。そして、アース棒６０に対する保護部材として、第１支持部３６の外周面にビニール製（合成樹脂製）のチューブ４０が被覆されている。このチューブ（保護部材）４０によって、第１支持部３６との摺動によるアース棒６０の損傷を防止している。そして、曲げ端部３６ａは、アース棒６０の半外周面を抱持できる長さを有しており、アース棒６０を確実に支持できるとともに、アース棒６０が外側に容易に逸脱しない構成になっている。
【００３７】
第２支持部３７は、その曲げ端部３７ａが、図３（ａ）に示すように、アース棒６０の外面を損傷しないように、その周縁部にアール加工が施されている。そして、図３（ｂ）に示すように、移動ガイド部３５と第２支持部３７の曲げ端部３７ａを結ぶ第２長さｎが、第１長さｍよりも大きく、移動ガイド部３５の他端部が内側に曲げられて半円形状に形成されている。そして、第２長さｎは、アース棒６０が作業者側に倒れてこない長さ、例えば、図３（ｂ）の場合では、アース棒６０の外径の２倍程度の長さになっている。つまり、第２長さｎは、移動ガイド部３５に沿って移動するアース棒６０を支持できるとともに、第１支持部３６から離間して外側に移動するアース棒６０が作業者側に倒れてこない位置で支持できる長さになっている。すなわち、曲げ端部３７ａは、アース棒６０の半外周面を抱持でき、かつ、第１支持部３６から外側に移動するアース棒６０を受け止めて支持できる空間を有している。
【００３８】
間口部３８は、略直立した状態（斜めの状態も含む）のアース棒６０を挿脱できるだけの間隔を有している。そして、開口部３８を通って内部に位置したアース棒６０は、移動ガイド部３５、第１支持部３６、第２支持部３７で囲繞された空間内を移動できるようになっている。
【００３９】
そして、第１支持部３６は、開口部３８を通って内部に位置したアース棒６０を支持したり、アース棒６０の負荷側接触端子１７に接続する際の移動を支持したり、負荷側接触端子１７に接続された状態のアース棒６０を支持したりする。一方、第２支持部３７は、第１支持部３６から移動ガイド部３５に沿って第２支持部３７へ移動する、換言すれば、電源側接触端子１６に接触しない位置でアース棒６０を支持したり、第１支持部３６から外側に移動するアース棒６０を支持したりする。
【００４０】
つぎに本実施形態に係る支持ガイド３０の使用態様について図１〜図３（ａ），（ｂ）を参照して説明する。ここで、前提として、支持ガイド３０は、取付板３１を介して断路器１の前側の第２支持部材７に固定されており、支持ガイド３０の第１支持部３６が断路器１の負荷側に位置するとともに、第２支持部３７が断路器１の電源側に位置しているものとする。
【００４１】
まず、アース棒６０を断路器１の負荷側接触端子１７に接続する場合、作業者Ｘは、アース棒６０を略直立した状態（傾斜した状態を含む）で支持して、図３（ｂ）に示すように、アース棒６０を支持ガイド３０の第１支持部３６と第２支持部３７との間に形成された開口部３８に位置させる。この際、アース棒６０を、図３（ｂ）の矢印Ａに示す方向に沿って第１支持部３６に移動させて当接させる。あるいは、矢印Ｂに示すように、一旦、アース棒６０を第２支持部３７に移動させた後、矢印Ｃに示すように、第２支持部３７から移動ガイド部３５を経て第１支持部３６に移動させて当接させることが選択される。
【００４２】
例えば、図３（ｂ）の矢印Ａに示す方向を選択した場合、図２の実線および図３（ｂ）の一点鎖線に示す状態のアース棒６０、すなわち、第１支持部３６に当接支持された状態のアース棒６０を、該アース棒６０のフック６１を断路器１の負荷側接触端子１７へ向かって移動させる。すなわち、アース棒６０の半外周面を第１支持部３６の内周面に摺動させながら負荷側接触端子１７へ方向付けて移動させる。そして、アース棒６０のフック６１を負荷側接触端子１７と同一高さ、あるいは負荷側接触端子１７よりもやや上方に位置させて、アース棒６０のフック６１を負荷側接触端子１７に引っ掛けて、アース棒６０と負荷側接触端子１７とを接続する（図２の一点鎖線参照）。つまり、アース棒６０の荷重を支持ガイド３０の第１支持部３６に預けた状態のまま、アース棒６０を上方に移動させているので、作業者Ｘの労力は従来に比して大幅に低減されるようになる。したがって、作業者Ｘが一人であっても、アース棒６０のフック６１（先端部）を、上方に配置された断路器１の負荷側接触端子１７へ容易に接続することができる。そして、負荷側接触端子１７に接続されたアース棒６０は、直立した状態で支持ガイド３０の第１支持部３６に支持される。
【００４３】
つぎに、断路器１の負荷側接触端子１７からアース棒６０を取り外す場合、アース棒６０のフック６１を負荷側接触端子１７から取り外し、第１支持部３６に位置したアース棒６０を移動ガイド部３５に沿って開口部３８の位置まで移動させ、開口部３８を経て外部へ移動させる。この際、仮に図３（ｂ）の矢印Ｂに示すように、開口部６０の手前に位置するアース棒６０が電源側（図３（ｂ）の二点鎖線に示す位置）に移動したとしても、支持ガイド３０の第２支持部３７によってその移動が規制されるので、アース棒６０の先端部が電源側接触端子１６へ接触するのを確実に防止できるようになる。また、仮に図３（ｂ）の矢印Ｄに示すように、支持ガイド３０の第１支持部３６から第２支持部３７へ移動したとしても、上記と同様に、アース棒６０の電源側接触端子１６への接触を防止することができる。この状態を、断路器１において、具体的に図示すると、図２の二点鎖線に示すようになる。なお、図２においては、作業者Ｘがアース棒６０に対して手放し状態であるが、仮に手放し状態であっても、支持ガイド３０の第２支持部３７で支持されていれば、アース棒６０の電源側接触端子１６への接触を十分に回避できることは言うまでもない。
【００４４】
このように、本実施形態に係るアース棒支持ガイド３０によれば、両端部を互いに内側に折り曲げて形成した第１支持部３６および第２支持部３７を有しているので、アース棒６０の荷重は、支持ガイド３０の第１支持部３６または第２支持部３７によって支持されるので、作業者Ｘが直立した状態のアース棒６０の全荷重を支持することはなく、その分、作業者Ｘの労力が大幅に低減できる。また、支持ガイド３０の第１支持部３６によって支持されるアース棒６０は、安定した状態で負荷側接触端子１７へ移動させることができる。また、第１支持部３６から離間したアース棒６０が、負荷側から電源側へ移動しても、アース棒６０は、第２支持部３７によって受け止めて支持されるので、作業者Ｘに対する安全性を確保できる。
【００４５】
なお、本発明に係るアース棒支持ガイド３０は、前記実施の形態に限定することなく種々変更することができる。
【００４６】
例えば、前記実施形態の場合、移動ガイド部３５の両端部を内側に折り曲げて円弧状の第１支持部３６および第２支持部３７を形成するようにしたが、図４（ａ）に示す支持ガイド３０Ａによれば、第１支持部３６および第２支持部３７の各曲げ端部３６ａ，３７ａに、外側に向かうにしたがって大きく開口するように、延出された第１延出部４５および第２延出部４６を形成するようにしてもよい。そして、アース棒６０を第１支持部３６と第２支持部３７との間に形成される第１開口部３８よりも、第１延出部４５と第２延出部４６との間に形成される第２開口部４７が大きく開口している、すなわち、第２開口部４７から第１開口部３８へのアース棒６０の移動が容易であるとともに、第１支持部３６および第２支持部３７にガイドしやすくなる。なお、保護部材４０は、第１支持部３６から第１延出部４５にかけて被覆されている。
【００４７】
この場合、第２開口部４７におけるアース棒６０の移動開始の位置が３つ想定される。例えば、アース棒６０が第２開口部４７の中央部に位置した場合、図４（ａ）の矢印Ａ０に示すように、第２開口部４７の中央部から第１開口部３８に移動し、矢印Ｂに示すように、第１支持部３６へ移動する。あるいは、矢印Ｃおよび矢印Ｄに示すように、第１開口部３８から一旦、第２支持部３７へ移動した後、移動ガイド部３５を経て第１支持部３６へ移動する。また、アース棒６０が第１延出部４５に位置した場合、矢印Ａ１に示すように、第１延出部４５から第１開口部３８に移動し、矢印Ｂに示すように、第１支持部３６へ移動する。あるいは、矢印Ｃに示すように、第１開口部３８から一旦、第２支持部３７へ移動した後、移動ガイド部３５を経て第１支持部３６へ移動する。また、アース棒６０が第２延出部４６に位置した場合、矢印Ａ２に示すように、第２延出部４６から第１開口部３８に移動し、矢印Ｂに示すように、第１支持部３６へ移動する。あるいは、矢印Ｃに示すように、第１開口部３８から一旦、第２支持部３７へ移動した後、移動ガイド部３５を経て第１支持部３６へ移動する。そして、矢印Ｅに示すように、アース棒６０が負荷側から電源側へ移動した場合、第２支持部３７によって支持される。
【００４８】
このように、図４（ａ）に示す支持ガイド３０Ａによれば、第１開口部３８よりも大きい第２開口部４７が形成されるので、アース棒６０を通しやすくなる。また、第１延出部４５と第２延出部４６とによって、アース棒６０の第１開口部３８への移動がガイドしやすくなる。
【００４９】
また、図４（ｂ）に示す支持ガイド３００のように、移動ガイド部３５０と、第１支持部３６０と、直角に折り曲げて形成された第１折曲部３７００、および該第１折曲部３７００の先端部に、直角に折り曲げて形成された第２折曲部３７０１を有する第２支持部３７０とで構成するようにしてもよい。そして、開口部３８０は、第１支持部３６０の曲げ端部３６０ａと第２折曲部３７０１の曲げ端部３７０ａとの間に形成されている。第１折曲部３７００において、第１支持部３６０の曲げ端部３６０ａの位置から第２折曲部３７０１の曲げ端部３７０ａの長さｌは、約２０ｃｍ程度に設定されている。なお、第１折曲部３７００によって、作業者Ｘ側へ倒れない程度に十分に支持できると判断される場合は、第２折曲部３７０１は必須ではない。
【００５０】
そして、アース棒６０を負荷側接触端子１７に接続する場合、開口部３８０にアース棒６０を位置させ、図４（ｂ）の矢印Ａ０に示すように、第２折曲部３７０１から第１折曲部３７００、移動ガイド部３５０を経て第１支持部３６０へ移動させる。あるいは、図４（ｂ）の矢印Ａ１に示すように、開口部３８０から、移動ガイド部３５０と第２支持部３７０とで形成される角部に移動させた後、図４（ｂ）の矢印Ｂに示すように、移動ガイド部３５０を経て第１支持部３６０へ移動させる。また、負荷側接触端子１７から取り外したアース棒６０が負荷側から電源側に移動する場合、図４（ｂ）の矢印Ｃ０に示すように、第１支持部３６０から移動ガイド部３５０を経て第２支持部３７０へ移動する。あるいは、図４（ｂ）の矢印Ｃ１に示すように、第１支持部３６０から第２折曲部３７０１に移動する。
【００５１】
このように、図４（ｂ）に示す支持ガイド３００によれば、第２支持部３７０が幅広であることからアース棒６０の電源側への移動を広範囲に阻止できる。具体的には、電源側接触端子１６への接触および作業者Ｘ側への倒れを防止できる。また、開口部３８０が図３の場合に比して大きいため、その分、アース棒６０を通しやすくなる。
【００５２】
また、図４（ｃ）に示す支持ガイド３０１のように、第１支持部３６１を図３の場合よりもやや大きくし、第２支持部３７１を、直角に折り曲げられる第１折曲部３７１０と、該第１折曲部３７１０の先端部から第１支持部３６１に向かって傾斜して延出される第２折曲部３７１１とで構成するようにしてもよい。
【００５３】
そして、アース棒６０を負荷側接触端子１７に接続する場合、図４（ｃ）の矢印Ａに示すように、開口部３８１から第１支持部３６１へ移動させる。あるいは、図４（ｃ）の矢印Ｂに示すように、第２折曲部３７１１から第１折曲部３７１０、移動ガイド部３５１を経て第１支持部３６１へ移動させる。また、負荷側接触端子１７から取り外したアース棒６０が負荷側から電源側に移動する場合、図４（ｃ）の矢印Ｃに示すように、第１支持部３６１から移動ガイド部３５１を経て第２支持部３７１へ移動する。あるいは、図４（ｃ）の矢印Ｄに示すように、第１支持部３６１から第２折曲部３７１１、第１折曲部３７１０を経て、第１折曲部３７１０と移動ガイド部３５１とで形成される角部へ移動する。
【００５４】
このように、図４（ｃ）に示す支持ガイド３０１によれば、第１支持部３６１が幅広に形成された分、第２折曲部３７１１を、第１折曲部３７１０の先端部から第１支持部３６１に向かって傾斜して延出するようにしたので、アース棒６０の負荷側接触端子１７への移動のガイドと、アース棒６０の負荷側接触端子１７から電源側接触端子１６への移動阻止を実現できる。
【００５５】
また、前記実施形態の場合、アース棒支持ガイド３０，３０Ａ，３００，３０１を、取付板３１を介して断路器１の第２支持部材７に固定するようにしたが、該第２支持部材７に一体的に設けるようにしてもよい。例えば、第２支持部材７の前側面（移動ガイド部３５に相当）に、大きさの異なる半円形状の切り起しを２箇所形成（図示せず）し、各切り起しを第１支持部３６および第２支持部３７とすることによって、アース棒支持ガイド３０，３０Ａ，３００，３０１を構成するようにしてもよい。
【００５６】
また、前記実施形態の場合、移動ガイド部３５の両側部を互いに内側に折り曲げて、第１支持部３６および第２支持部３７を形成するようにしたが、移動ガイド部３５の両側部に、折り曲げ加工された第１支持部３６および第２支持部３７を接続（連結）するようにしてもよい。
【符号の説明】
【００５７】
１…断路器、２…架台、３…直立支持部、４…脚部、５…水平支持部、６…第１支持部材、７…第２支持部材、１０…絶縁支持部材、１１…固定碍子、１２…回動碍子、１５…開閉部、１６…電源側接触端子、１７…負荷側接触端子、１８…ブレード、２０…開閉機構部、２１…伝動部材、２１ａ…連結部、２２…連結棒、２３…操作箱、２４…操作軸、３０，３０Ａ、３００，３０１…アース棒支持ガイド、３１…取付板、３２…皿ねじ、３５，３５０，３５１…移動ガイド部、３６…第１支持部、３７…第２支持部、３６ａ，３６０ａ，３６１ａ…第１支持部の接続端部（曲げ端部）、３７ａ，３７０ａ，３７１ａ…第２支持部の接続端部（曲げ端部）、３８，３８０，３８１…開口部、４０…保護部材、４５…第１延出部、４６…第２延出部、４７…第２開口部、６０…アース棒、６１…フック、６２…アース線、Ｃ…架線、Ｇ…設置面、ｍ…第１長さ、ｎ…第２長さ、Ｘ，Ｙ…作業者
【図１】
0005312495.tif 000002
【図２】
0005312495.tif 000003
【図３】
0005312495.tif 000004
【図４】
0005312495.tif 000005
【図５】
0005312495.tif 000006